(57)【要約】【課題】  ディスクへのアクセス頻度をより有効に減らす技術を提供する。【解決手段】  装着されたディスクの再生データの一次キャッシュとして働く高速メモリと、前記再生データの二次キャッシュとして働く不揮発性メモリとを具備してなることを特徴とする再生装置。また、装着されたディスクから固有ＩＤを取り出し以ってディスクの個体差を識別する機構を備えたことを特徴とする再生装置。また、前記二次キャッシュは領域を分割して成り、以前に再生済の前記固有ＩＤとは異なるディスクが装着された場合は、異なる前記領域に二次キャッシュの内容を格納することを特徴とする再生装置。【選択図】      図４
2009043375.tif 000002
【特許請求の範囲】
【請求項１】
装着されたディスクの再生データの一次キャッシュとして働く高速メモリと、
前記再生データの二次キャッシュとして働く不揮発性メモリと
を具備してなることを特徴とする再生装置。
【請求項２】
装着されたディスクから固有ＩＤを取り出し以ってディスクの個体差を識別する機構を備えたことを特徴とする請求項１記載の再生装置。
【請求項３】
前記二次キャッシュは領域を分割して成り、以前に再生済の前記固有ＩＤとは異なるディスクが装着された場合は、異なる前記領域に二次キャッシュの内容を格納することを特徴とする請求項２記載の再生装置。
【請求項４】
以前に再生済みの固有ＩＤを有するディスクが再び装着された場合は、前回使用した前記領域のキャッシュ内容を用いて再生動作を行うことを特徴とする請求項３記載の再生装置。
【請求項５】
前記二次キャッシュに割り当てる領域サイズは前記一次キャッシュのサイズと同等以上に構成され、キャッシュアルゴリズムはライトスルー法によるものであることを特徴とする請求項１記載の再生装置。
【発明の詳細な説明】
【技術分野】
【０００１】
本発明は、再生装置に関する。
【背景技術】
【０００２】
光ディスク記録再生装置等の再生装置においては、従来からＤＲＡＭ等の高速メモリは１次キャッシュとして用いられている。それにより、過去に記録再生したディスクへのアクセス頻度を減らそうという工夫がされている。
【０００３】
例えば、特許文献１にあるものは現在の光ディスクのためのデータをストアするための１次キャッシュと複数の光ディスクのためのデータをストアするための2次キャッシュを有するキャッシュ装置に関して記載されている。しかしながら、何によって(BCA等)光ディスクを識別するかに関する記載、および１次キャッシュをDRAM等の高速メモリにするといった記載は特になされていず、ディスクへのアクセス頻度を減らすのに有効性の高い技術は開示されていない。
【特許文献１】特開平７−２２５７１４号公報
【発明の開示】
【発明が解決しようとする課題】
【０００４】
本発明は、ディスクへのアクセス頻度をより有効に減らす技術を提供することを目的とする。
【課題を解決するための手段】
【０００５】
上記課題を解決するために、本発明の再生装置は、第1の態様として装着されたディスクの再生データの一次キャッシュとして働く高速メモリと、前記再生データの二次キャッシュとして働く不揮発性メモリとを具備してなることを特徴とする再生装置である。
【０００６】
また、第２の態様として装着されたディスクから固有ＩＤを取り出し以ってディスクの個体差を識別する機構を備えたことを特徴とする再生装置である。
また、第３の態様として前記二次キャッシュは領域を分割して成り、以前に再生済の前記固有ＩＤとは異なるディスクが装着された場合は、異なる前記領域に二次キャッシュの内容を格納することを特徴とする再生装置である。
【発明の効果】
【０００７】
本発明によれば、ディスクへのアクセス頻度をより有効に減らす技術が得られる。
【発明を実施するための最良の形態】
【０００８】
以下、本発明の実施例を説明する。
【実施例１】
【０００９】
本発明による実施例１を図１乃至図４を参照して説明する。
図１に、本発明の実施の形態による光ディスク装置１０の構成を示し、図２に、当該光ディスク装置１０に用いられる光ディスク２０の構成を示す。図２に示すように、光ディスク２０としては、例えばＨＤＤＶＤ規格に基づく光ディスクが使用され、その外周側にはデータエリア３０が形成され、内周側にはＢＣＡ４０が形成されている。
【００１０】
データエリア３０には、映像データなどのデータを記録するためのピット（図示せず）が形成されているが、このピットには、同期信号としてのシンクパターンも記録されている。また、データエリア３０には、一定の周期で蛇行するように溝すなわちウォブル（図示せず）が形成され、このウォブルは主に案内溝としての役割を果たす。
【００１１】
一方、ＢＣＡ４０には、光ディスク２０の半径方向に放射状に伸びるように、バーコード状のパターン（図示せず）が形成されている。ＢＣＡ４０には、例えば当該光ディスク２０に付与された固有の識別情報や、コピープロテクト情報が記録される。なお、かかる光ディスク装置１０は、ＨＤＤＶＤ規格によって、再生時には、ＢＣＡ４０に記録されているデータを必ず再生するようになされており、これにより例えば不正コピーを防止することができる。またディスクの個体差を識別する機構となっている。
【００１２】
光ディスク２０は、再生時には、回転軸５０に装着され、光ディスク装置１０は、スピンドルモータ６０によって、光ディスク２０を回転軸５０と共に回転させる。その際、光ディスク装置１０は、光ピックアップヘッド７０を所望の位置に移動させ、当該光ピックアップヘッド７０から出力されるレーザ光を例えばピットに照射する。光ディスク装置１０は、その反射光を光ピックアップヘッド７０によって受光し、得られた電気信号（ＲＦ信号）ＲＦに対して所定の信号処理を施すことにより、映像信号を生成する。
【００１３】
その際、信号処理回路（光ディスクコントローラ）８０は、光ピックアップヘッド７０から出力される電気信号に対して所定の信号処理を施し、その処理結果に基づいて、スピンドルモータ６０の回転数を制御する。
【００１４】
ところで、かかる光ディスク装置１０は、上述したように、不正コピーの防止などのため、ＨＤＤＶＤ規格によって、再生時には、ＢＣＡ４０に記録されているデータを必ず再生するようになされている。
【００１５】
上記生成された映像信号に基づき信号処理された結果の映像データ等を外部のパソコン等のホストへ転送するためのATAPIやSATAといったインタフェースを、信号処理回路（光ディスクコントローラ）８０は備えている。
【００１６】
また、光ディスクコントローラ８０はアドレスバス・データバスBUSを通じてDRAMや不揮発性のNVROMとデータの受け渡しを行っている。それぞれチップセレクトCSD,CSN（図示せぬリード信号、ライト信号を含む）を行うことによりデータの受け渡しを実施する構成となっている。
【００１７】
図３は、実施例のキャッシュ割り当てを示す図である。ドライブ管理領域Dとリングバッファ領域Rとがある。ドライブ管理領域Dは、DRAMの他後述の２次キャッシュ（不揮発性メモリ）にも割り当てられる部分である。対してリングバッファ領域RはDRAMで使用される部分である。映像データやユーザデータを内容としているので、キャッシュのヒット率を落とさないために２次キャッシュの対象外である。
【００１８】
ドライブ管理領域Dの内容としては以下のものがある。
１．BCA（Ｂｕｒｓｔ Ｃｕｔｔｉｎｇ Ａｒｅａ）
２．リードインエリア情報
システムリードインとして次のものがある。
・PFI (Physical Format Information)
・DMI (Disc Manufacturing Information)
・Copyright Information
３．UDF等のファイルシステム管理情報
４．その他、システム管理情報
図４は、実施例の一次/二次キャッシュメモリ空間例を示す構成図である。キャッシュアルゴリズムとしてはライトバック方式は採らず、言わば同時書きのライトスルー法を用いている。キャッシュアルゴリズムにライトスルー法を用いていることにより、停電や不意の停止で１次キャッシュ内容が失われても整合性が保たれ、停止から再度動作を行う場合は、停止前の状態を復元できるという特徴がある。
【００１９】
DRAMが一次キャッシュメモリ空間を成し、二次キャッシュメモリ空間を成す不揮発性のNVROMへライト・スルーキャッシュを行う。ライト・スルーキャッシュを行う範囲は図４にあるようにソースは再生中DISCキャッシュ内容であり、ターゲットはID毎に分割された領域である。
【００２０】
本実施例では以下のような効果がある。
・ディスクアクセスが減るので、再生メディアの再生劣化防止、LD(Lazar Diode)の長寿命化、低消費電力化、高速アクセスが可能。
・キャッシュはライト・スルー法(ファームウェア負担軽減の効果もある)を用い、常に１次キャッシュのコピーを保存しておくため、予期せぬ停止(停電や強制パワーオフ)の場合でも、キャッシュの内容が残る。
【００２１】
・ストラテジやサーボの調整情報を保存すれば、再度同一ディスクが挿入されたときに高速起動が可能。
実施例の概要を纏めると次のようになる。
光ディスクの固有ID(BCA等)を用いて、不揮発性メモリに複数枚ディスクのデータをキャッシュする。不揮発性メモリは２次キャッシュとして用い、従来から使われているＤＲＡＭ等の高速メモリは１次キャッシュとして用いる。これにより、過去に記録再生したディスクへのアクセス頻度が減り、記録型メディアの再生劣化を防ぎ、高速アクセス、低消費電力、LDの長寿命化を実現する。近年はフラッシュメモリの大容量化、低価格化が進んでいる。近い将来は、現在マイコンファームウェア用に搭載されているフラッシュメモリの価格で、ディスク数枚分のキャッシュを保存する容量の不揮発性メモリの搭載が実現すると予測される。
【００２２】
なお、この発明は上記実施例に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。さらに、異なる実施の形態に係る構成要素を適宜組み合わせても良いものである。
【図面の簡単な説明】
【００２３】
【図１】この発明の一実施例である光ディスク装置を示すブロック構成図。
【図２】同実施例が有する光ディスクの構成を示す説明図。
【図３】同実施例のキャッシュ割り当てを示す図。
【図４】同実施例の一次/二次キャッシュメモリ空間例を示す構成図。
【符号の説明】
【００２４】
１０  光ディスク装置
２０  光ディスク
３０  データエリア
４０  ＢＣＡ
６０  スピンドルモータ
７０  光ピックアップヘッド
８０  信号処理回路（光ディスクコントローラ）
【図１】
2009043375.tif 000003
【図２】
2009043375.tif 000004
【図３】
2009043375.tif 000005
【図４】
2009043375.tif 000006